【手続補正書】
【提出日】平成15年11月11日(2003.11.11)
【手続補正１】
【補正対象書類名】明細書
【補正対象項目名】特許請求の範囲
【補正方法】変更
【補正の内容】
【特許請求の範囲】
【請求項１】
次式（Ｉ）で表される化合物。
【化１】
1997188686.tif 000001
（式中、Ｒ1は炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基を表し、ここで該炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基は１もしくはそれよりも多くの基Ｏ、Ｓ（Ｏ）PもしくはＮＲ5で中断され得るか、または該炭素原子数１ないし２０のアルキル基、炭素原子数３ないし１２のシクロアルキル基、炭素原子数２ないし８のアルケニル基、フェニル−炭素原子数１ないし６のアルキル基もしくはナフチル−炭素原子数１ないし３のアルキル基は未置換もしくは炭素原子数１ないし１２のアルキル基、ＯＲ6、Ｒ7Ｓ（Ｏ）P、Ｒ7Ｓ（Ｏ）2Ｏ、ＮＲ8Ｒ9、ＳｉＲ10Ｒ11Ｒ12、ＢＲ13Ｒ14もしくはＲ15Ｒ16Ｐ（Ｏ）qで置換されており、
Ｒ2、Ｒ3およびＲ4は互いに独立してフェニル基もしくはビフェニル基を表し、ここで該フェニル基またはビフェニル基は、未置換であるかまたは未置換もしくはＯＲ6−で、ＮＲ8Ｒ9−でもしくはハロゲン原子で置換された炭素原子数１ないし１２のアルキル基、ＯＲ6、Ｒ7Ｓ（Ｏ）P、Ｒ7Ｓ（Ｏ）2Ｏ、Ｒ8Ｒ9ＮＳ（Ｏ）2、ＮＲ8Ｒ9、ＮＲ8Ｒ9ＣＯ、次式
【化２】
1997188686.tif 000002
で表される基で置換されており、芳香族基Ｒ2、Ｒ3およびＲ4についての置換基のハメットσ値（Σσ）の合計は＋０．３６ないし＋２．５８であり、ＸはＯ、ＳもしくはＮＲ21を表し、
Ｒ5は水素原子、炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表し、Ｒ6およびＲ7は未置換もしくはハロゲン原子で置換された炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表し、
Ｒ8、Ｒ9、Ｒ10、Ｒ11、Ｒ12、Ｒ13、Ｒ14、Ｒ15およびＲ16は互いに独立して炭素原子数１ないし１２のアルキル基、炭素原子数３ないし１２のシクロアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表すか、またはＲ8およびＲ9はそれらが結合するＮ原子と一緒になって他のヘテロ原子として酸素原子もしくは硫黄原子をさらに含有し得る６員脂肪族環を形成し、
Ｒ17、Ｒ18、Ｒ19およびＲ20は互いに独立して水素原子、未置換もしくは炭素原子数１ないし１２のアルコキシ基で置換された炭素原子数１ないし１２のアルキル基、フェニル基もしくはフェニル−炭素原子数１ないし６のアルキル基を表し、ここで該フェニル基もしくはフェニル−炭素原子数１ないし６のアルキル基は未置換であるかまたは炭素原子数１ないし６のアルキル基、炭素原子数１ないし１２のアルコキシ基もしくはハロゲン原子で１ないし５回置換されており、
ｐは０ないし２の数を表し、
ｒは０ないし５の数を表し、
Ｒ21は水素原子もしくは炭素原子数１ないし１２のアルキル基を表し、Ｒ22、Ｒ22a、Ｒ23およびＲ24は互いに独立して水素原子、未置換もしくは炭素原子数１ないし１２のアルコキシ基で、ＯＨでもしくはハロゲン原子で置換された炭素原子数１ないし１２のアルキル基を表すか、または未置換もしくは炭素原子数１ないし１２のアルコキシ基で、ＯＨでもしくはハロゲン原子で置換されたフェニル基を表し、
ｑは０もしくは１を表し、および
Ｇは陽イオンを形成し得る基を表す。）
【請求項２】
（ａ）少なくとも一種のエチレン性不飽和化合物、
（ｂ）少なくとも一種の酸基を含有している化合物（該酸性基は成分（ａ）中にも存在し得る。）、
（ｃ）少なくとも一種の請求項１記載の式（Ｉ）の光開始剤、および
（ｄ）所望により、少なくとも一種の補助開始剤
よりなる組成物。
【請求項３】
成分（ａ）ないし（ｃ）に加えて、少なくとも一種の次式ＸＩで表される化合物を含むところの請求項２記載の組成物。
【化３】
1997188686.tif 000003
（式中、Ｒa、Ｒb、ＲcおよびＲdは、互いに独立して炭素原子数１ないし１２のアルキル基、トリメチルシリルメチル基、フェニル基、他の芳香族炭化水素、炭素原子数１ないし６のアルキルフェニル基、アリル基、フェニル−炭素原子数１ないし６のアルキル基、炭素原子数２ないし８のアルケニル基、炭素原子数２ないし８のアルキニル基、炭素原子数３ないし１２のシクロアルキル基もしくは飽和もしくは不飽和複素環基を表し、ここで該フェニル基、他の芳香族炭化水素、フェニル−炭素原子数１ないし６のアルキル基および飽和もしくは不飽和複素環基は未置換であるかまたは未置換もしくはＯＲ6−で、ＮＲ8Ｒ9−でもしくはハロゲン原子で置換された炭素原子数１ないし１２のアルキル基、ＯＲ6、Ｒ7Ｓ（Ｏ）p、Ｒ7Ｓ（Ｏ）2Ｏ、Ｒ8Ｒ9ＮＳ（Ｏ）2、ＮＲ8Ｒ9、ＮＲ8Ｒ9ＣＯ、ＳｉＲ10Ｒ11Ｒ12、ＢＲ13Ｒ14、ハロゲン原子、Ｒ15Ｒ16Ｐ（Ｏ）qで置換されており、
Ｒ6およびＲ7は未置換もしくはハロゲン原子で置換された炭素原子数１ないし１２のアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニルを表し、
Ｒ8、Ｒ9、Ｒ10、Ｒ11、Ｒ12、Ｒ13、Ｒ14、Ｒ15およびＲ16は互いに独立して炭素原子数１ないし１２のアルキル基、炭素原子数３ないし１２のシクロアルキル基、未置換もしくは炭素原子数１ないし６のアルキル基、炭素原子数１ないし１２のアルコキシ基もしくはハロゲン原子で１ないし５回置換されたフェニル−炭素原子数１ないし６のアルキル基を表すか、または未置換もしくは炭素原子数１ないし６のアルキル基、炭素原子数１ないし１２のアルコキシ基もしくはハロゲン原子で１ないし５回置換されたフェニル基を表すか、またはＲ8およびＲ9はそれらが結合するＮ原子と一緒になって他のヘテロ原子として付加的に酸素原子もしくは硫黄原子を含有し得る６員脂肪族環を形成し、
ｐは０ないし２の数を表し、
ｑは０もしくは１を表し、および
Ｅは陽イオンを形成し得る基を表す。）
【請求項４】
少なくとも１種のエチレン性不飽和二重結合を含有する不揮発性モノマー、オリゴマー性もしくはポリマー性化合物および酸基を含有する少なくとも１種の化合物（該酸基はまたエチレン性不飽和化合物中に存在し得る。）の光重合法であって、前記化合物に少なくとも１種の請求項１記載の式（Ｉ）の化合物（式中、Ｇは染料もしくは紫外線吸収剤基を表す。）、または少なくとも一種の請求項１記載の式（Ｉ）の化合物と少なくとも１種の補助光開始剤（ｄ）を組み合わせて加え、そして該混合物に赤外線領域から紫外線領域を経て２００ｎｍの波長までの光を照射することよりなる方法。
【請求項５】
着色もしくは非着色コーティング材料、粉体塗料、印刷インク、焼付けプレート、接着剤、歯科用コンパウンド、導波管、光学用スイッチ、カラープルーフィングシステム、ガラス繊維ケーブルコーティング、スクリーン印刷用ステンシル、レジスト材料
を製造するため、写真再現のため、複合組成物を製造するため、電気部品および電子部品を封入するため、磁性記録材料を製造するため、立体リソグラフィー手段による三次元物品を製造するため、および画像記録材料を製造するための、請求項４に記載の製造方法。
【請求項６】
少なくとも１表面が請求項２に記載の組成物で被覆された被覆基材。
【請求項７】
請求項６記載の被覆基材を画像様に暴露しそしてその後暴露されなかった部分を溶媒を用いて取り除くことよりなるレリーフ画像の製造方法。
【請求項８】
光重合開始剤として、少なくとも１種の請求項１記載の式（Ｉ）の化合物を加えることよりなるエチレン性不飽和二重結合を含有する化合物の熱重合方法。